(57)【要約】      （修正有）【課題】構造がシンプルな、クラッチシステムを備えないバネ補助式コードレスローラーシェイドを提供する。【解決手段】内部空間１５を形成する管体１０を備え、内部空間１５には第一区１１と第二区１２を形成する。第一区１１と第二区１２とは、コネクター２０、コネクター２０を組み合わせる心軸３０、心軸３０を可動接続する固定器４０、固定器４０上に設置する伝動軸５０をそれぞれ取り付ける。コネクター２０と心軸３０との間には、弾性体を設置し、摩擦作用力を提供し、管体１０の回転を制御及び調整する。第一区１１の伝動軸５０には、回転部５２を取り付け、管体１０の回転に従い回転する。第二区１２の伝動軸５０は、帯状バネモジュール６０を組み合わせる。ローラーシェイドを操作し運動させる力が消失すると、それに従い定位する作用を実現する。【選択図】図２
0003192744.tif 000002
【実用新案登録請求の範囲】
【請求項１】
クラッチシステムを備えないバネ補助式コードレスローラーシェイドであって、管体、コネクター、心軸、固定器、伝動軸からなり、
前記管体には、内部空間を形成し、これに少なくとも１個のコネクターを取り付け、前記管体の回転に従い回転し、
前記コネクターには、心軸を組み合わせ、
前記心軸は、自由端を備え、固定器を可動接続し、
前記固定器には、伝動軸を設置し、
前記伝動軸には、帯状バネモジュールを組み合わせることを特徴とする、
クラッチシステムを備えないバネ補助式コードレスローラーシェイド。
【請求項２】
前記管体の内部空間には、第一区と第二区を形成し、
前記第一区と前記第二区には、それぞれ前記コネクター、前記心軸、前記固定器、前記伝動軸を設置し、
前記第一区の伝動軸には、回転部を取り付け、前記管体の回転に従い回転し、
前記第二区の伝動軸には、前記帯状バネモジュールを組み合わせることを特徴とする請求項１に記載のクラッチシステムを備えないバネ補助式コードレスローラーシェイド。
【請求項３】
前記コネクターには、基台を組み合わせ、
前記基台は、管状体構造を形成し、チャンバーと延伸壁を形成し、前記心軸を設置し、
前記心軸は、頭部と、前記頭部を連接する軸柱を備え、前記心軸には、緩衝室を形成し、
前記頭部の幅は、前記軸柱の幅より大きく、前記頭部と前記軸柱との間には、肩部を形成し、
前記自由端は、前記軸柱上に形成し、前記基台に進入し、
前記基台は、前記チャンバーと前記心軸の軸柱との間に、弾性体を設置し、これにより前記心軸は、前記チャンバー内で軸方向に移動することを特徴とする請求項１に記載のクラッチシステムを備えないバネ補助式コードレスローラーシェイド。
【請求項４】
前記コネクターには、基台を組み合わせ、
前記基台は、管状体構造を形成し、チャンバーと延伸壁を形成し、前記心軸を設置し、
前記心軸は、頭部と、前記頭部を連接する軸柱を備え、前記心軸には、緩衝室を形成し、
前記頭部の幅は、前記軸柱の幅より大きく、前記頭部と前記軸柱との間には、肩部を形成し、
前記自由端は、前記軸柱上に形成し、前記基台に進入し、
前記基台は、前記チャンバーと前記心軸の軸柱との間に、弾性体を設置し、これにより前記心軸は、前記チャンバー内で軸方向に移動することを特徴とする請求項２に記載のクラッチシステムを備えないバネ補助式コードレスローラーシェイド。
【請求項５】
前記弾性体は、圧縮バネで、前記軸柱上に嵌めて設置し、一端は、前記肩部上に接触し、反対端は、前記基台延伸壁に接触し、
前記固定器には、貫通孔を設置し、前記伝動軸を可動接続し、
前記第一区の伝動軸は、固定器を突出し、弾性器を嵌めて設置し、前記回転部と可動接続することを特徴とする請求項４に記載のクラッチシステムを備えないバネ補助式コードレスローラーシェイド。
【請求項６】
前記弾性器は、トルクバネで、両端を備え、それぞれ前記固定器と前記回転部上に固定し、
前記回転部は、ターンテーブル構造で、軸孔を設置し、前記第一区の伝動軸に可動接続し、
前記回転部には、嵌槽を設置し、前記管体の駆動部を嵌合することを特徴とする請求項５に記載のクラッチシステムを備えないバネ補助式コードレスローラーシェイド。
【請求項７】
前記帯状バネモジュールは、ハウジング、前記ハウジング内に設置する帯状バネを備え、
前記ハウジングには、凹槽と開口を設置し、前記凹槽は、前記管体の駆動部を嵌合し、これにより前記ハウジングは、前記管体の回転に従い回転し、
前記帯状バネは、コイルスプリング構造で、両端を備え、一端は、前記軸台に対応し前記伝動軸上に固定し、反対端は、前記ハウジングの開口の位置に取り付けることを特徴とする請求項１或いは２或いは３或いは４或いは５或いは６に記載のクラッチシステムを備えないバネ補助式コードレスローラーシェイド。
【請求項８】
前記心軸の頭部には、凸部と、前記凸部上に形成する溝槽を設置し、
前記凸部には、固定板を組み合わせ、これにより前記管体は、基面上に設置することを特徴とする請求項１或いは２或いは３或いは４或いは５或いは６に記載のクラッチシステムを備えないバネ補助式コードレスローラーシェイド。
【請求項９】
前記心軸の頭部には、凸部と、前記凸部上に形成する溝槽を設置し、
前記凸部には、固定板を組み合わせ、これにより前記管体は、前記基面上に設置することを特徴とする請求項７に記載のクラッチシステムを備えないバネ補助式コードレスローラーシェイド。
【請求項１０】
前記コネクターは、筒状体構造で、凹槽を形成し、
前記管体には、駆動部を設置し、前記コネクターの凹槽に嵌合することを特徴とする請求項１或いは２或いは３或いは４或いは５或いは６に記載のクラッチシステムを備えないバネ補助式コードレスローラーシェイド。
【請求項１１】
前記コネクターは、筒状体構造で、凹槽を形成し、
前記管体には、駆動部を設置し、前記コネクターの凹槽に嵌合することを特徴とする請求項７に記載のクラッチシステムを備えないバネ補助式コードレスローラーシェイド。
【請求項１２】
前記コネクターは、筒状体構造で、凹槽を形成し、
前記管体の駆動部は、前記コネクターの凹槽に嵌合することを特徴とする請求項８に記載のクラッチシステムを備えないバネ補助式コードレスローラーシェイド。
【請求項１３】
前記帯状バネの弾性力は、ローラーシェイドの重力と弾性体の弾性力との総和に少なくとも等しく、
前記ローラーシェイドを、前記管体上に巻きつけて設置することを特徴とする請求項７に記載のクラッチシステムを備えないバネ補助式コードレスローラーシェイド。
【請求項１４】
前記帯状バネの弾性力は、ローラーシェイドの重力と弾性体の弾性力との総和に少なくとも等しく、
前記ローラーシェイドを、前記管体上に巻きつけて設置することを特徴とする請求項８に記載のクラッチシステムを備えないバネ補助式コードレスローラーシェイド。
【請求項１５】
前記軸柱表面には、副肩部を形成し、前記軸柱の基台から突出する位置に位置することを特徴とする請求項３或いは４或いは５或いは６に記載のクラッチシステムを備えないバネ補助式コードレスローラーシェイド。
【考案の詳細な説明】
【技術分野】
【０００１】
本考案は、クラッチシステムを備えないバネ補助式コードレスローラーシェイドに関し、コネクター、伝動軸、固定器、帯状バネモジュール等部分からなり、ローラーシェイド巻き取り或いは巻き解きの定位メカニズムをコントロールできるクラッチシステムを備えないバネ補助式コードレスローラーシェイドに関する。
【背景技術】
【０００２】
ローラーシェイド布或いはその類似物をシャフトに組み合わせ、管状ハウジング内に巻き取り、ビーズチェーン連動台、係合ロック装置、バネ等機構を対応させ、ローラーシェイド布の巻き取り或いは巻き解き操作を制御する構造の従来の技術では、特許文献１に示す「カーテン定位制御構造」、特許文献２に示す「任意位置での定位と巻き解きが可能なカーテン制動構造」が典型的な実施形態を開示している。
【０００３】
当該技術の熟習者が熟知するように、ビーズチェーンシステムを用いてローラーシェイド布の巻き取り或いは巻き解きを操作するタイプには、幼児の安全に対するリスクが存在する。
【０００４】
そのため、ビーズチェーンシステムとは異なる構造が、特許文献３「プル紐のないカーテン開閉定位構造」で開示されている。
この種のカーテン或ローラーシェイド制御装置の構造設計では、ブレーキシステムとクラッチ機構を利用して、ローラーシェイド布を制御し、巻き取り或いは巻き解きを操作する過程において、定位の作用を備える。
【０００５】
通常この種のシステム構造は、組合せが複雑であるため、取り付け作業が面倒で時間もかかる。
しかも、作用力が大きいトルクバネによりローラーシェイドを制御しなければならない。
従って、使用者が加える力をプラスしなければ、クラッチのロック作用を解除し、ローラーシェイドを動かすことはできない。
この種の状況は、理想的ではない。
【０００６】
これら特許文献は、カーテン或ローラーシェイド制御或いは定位構造と関連組合せ設計に関する技術を開示している。
巻き上げ機の構造を新たに設計し、従来の構造と異なるものとすれば、その使用形態を変えることができ、実質的に、その応用範囲を広げることができる。
従来のビーズチェーンシステムを応用せず、構造がシンプルで操作が簡便なローラーシェイド定位装置の構造を設計すれば、操作の安全性を拡大でき、さらに取り付けが面倒で、操作に力が要る等の従来の構造に存在する欠点を改善することができる。
【先行技術文献】
【特許文献】
【０００７】
【特許文献１】台湾特許第９６２０９２０４号明細書
【特許文献２】台湾特許第８８２１９４５７号明細書
【特許文献３】台湾特許第９３１２６５５４号明細書
【考案の概要】
【考案が解決しようとする課題】
【０００８】
上述した考案には使用上の欠点があり、改善する必要がある。その原因は下記の通りである。
【０００９】
ビーズチェーンシステムを用いてローラーシェイド布の巻き取り或いは巻き解きを操作するタイプには、幼児の安全に対するリスクが存在する。
さらに、組合せが複雑であるため、取り付け作業が面倒で時間もかかる。
しかも、作用力が大きいトルクバネによりローラーシェイドを制御しなければならないため、強い力をプラスしなければ、クラッチのロック作用を解除し、ローラーシェイドを動かすことはできない。
【００１０】
本考案は、上述の問題に鑑みてなされたものであり、その目的は、従来のビーズチェーンシステムを応用せず、構造がシンプルで操作が簡便で、操作の安全性を拡大でき、さらに取り付けが面倒で操作に力が要る等の従来の構造に存在する欠点を改善することができる、クラッチシステムを備えないバネ補助式コードレスローラーシェイドを提供することにある。
【課題を解決するための手段】
【００１１】
クラッチシステムを備えないバネ補助式コードレスローラーシェイドは、内部空間を形成する管体を備え、
内部空間には第一区と第二区を形成し、第一区と第二区はそれぞれ、コネクター、コネクターを組み合わせる心軸、心軸を可動接続する固定器、固定器上に設置する伝動軸を取り付ける。
コネクターと心軸との間には、弾性体を設置し、摩擦作用力を提供し、管体の回転を制御及び調整する。
第一区の伝動軸には、回転部を取り付け、管体の回転に従い回転する。
第二区の伝動軸には、帯状バネモジュールを組み合わせ、これによりローラーシェイドを操作して運動させる力が消失すると、それに従い定位する作用を達成する。
こうして、従来の構造には、設置が必須であったクラッチシステムを省くことができるため、構造をよりシンプルにすることができる。
【００１２】
本考案のクラッチシステムを備えないバネ補助式コードレスローラーシェイドにおいて、コネクターには、基台を組み合わせ、これによりコネクターは、管体両端に設置される。
基台には、チャンバーを形成し、心軸を組み合わせる。
基台のチャンバーと心軸との間には、弾性体を設置し、心軸を、チャンバー内において軸方向に移動させる。
こうして、摩擦作用力を確立し、管体或いはローラーシェイドの巻き取り、巻き解きを制御する。
【００１３】
本考案のクラッチシステムを備えないバネ補助式コードレスローラーシェイドにおいて、帯状バネモジュールは、管体に従い回転するハウジング、ハウジング内に設置する帯状バネを備える。
帯状バネの一端は、伝動軸上に固定し、反対端は、ハウジングに設置する。
管体とハウジングとが回転すると、帯状バネは、エネルギーを蓄積し、或いは解き放つ。
【００１４】
本考案は、従来のビーズチェーンシステムを応用せず、構造がシンプルで操作が簡便で、操作の安全性を拡大でき、さらに取り付けが面倒で操作に力が要る等の従来の構造に存在する欠点を改善することができる。
【図面の簡単な説明】
【００１５】
【図１】仮想線部分で管体組合せローラーシェイド布或いはその類似物の状況を示す本考案の外観構造模式図である。
【図２】管体、コネクター、固定器、帯状バネモジュール等部分の状況を示す本考案の構造分解模式図である。
【図３】管体第一区のコネクター、固定器、バネと回転部等部分の状況を示す本考案の一構造分解模式図である。
【図４】第一区の構造組合せ状況を示す本考案の一構造断面模式図である。
【図５】管体第二区のコネクター、固定器、帯状バネモジュール等部分の状況を示す本考案の一構造分解模式図である。
【図６】第二区の構造組合せ状況を示す本考案の一構造断面模式図である。
【考案を実施するための形態】
【００１６】
（一実施形態）
本考案の一実施形態によるクラッチシステムを備えないバネ補助式コードレスローラーシェイドを図面に基づいて説明する。
図１、２、３に示すように、本考案のクラッチシステムを備えないバネ補助式コードレスローラーシェイドは、管体を備える。
【００１７】
管体１０は、ローラーシェイド９０或いはその類似物を巻き取る。
人がローラーシェイド９０を引き動かすと、管体１０の回転を連動する。
管体１０には、内部空間１５を形成する。
内部空間１５には、第一区１１と一第二区１２を備える。
第一区１１と第二区１２には、嵌合ブロックに類似の駆動部１３を設置する。
第一区１１と第二区１２にはそれぞれ、コネクター２０、コネクター２０を組み合わせる心軸３０、心軸３０を可動接続する固定器４０、固定器４０上に設置する伝動軸５０を取り付ける。
【００１８】
一実施形態中において、コネクター２０は、筒状体構造で、駆動部１３を嵌合する凹槽２１を形成し、これによりコネクター２０は管体１０の回転に従い回転する。
コネクター２０には、基台２２を組み合わせ、これによりコネクター２０は、管体１０両端に設置される。
基台２２は、管状体構造を形成し、チャンバー２３と延伸壁２４を形成し、心軸３０を設置する。
心軸３０は、頭部３１、頭部３１を連接する軸柱３２を備える。
心軸３０には、緩衝室３３を形成し、心軸３０の移動時に、伝動軸５０と干渉を生じないよう回避する。
【００１９】
具体的には、頭部３１の幅（或いは外径）は、軸柱３２の幅（或いは外径）より大きく、頭部３１と軸柱３２との間には、肩部３４を形成する。
軸柱３２は、自由端３５を備え、基台２２に進入する。
軸柱３２表面には、副肩部３６を形成し、軸柱３２の基台２２から突出する位置に位置する。
基台チャンバー２３と心軸３０の軸柱３２との間には、弾性体３７を設置し、心軸３０を、チャンバー２３内において軸方向に移動させ、摩擦作用力を提供し、管体１０の回転を制御及び調整する。
すなわち、心軸３０の位置を、チャンバー２３内において調整し、弾性体３７が基台２２（或いは延伸壁２４）を押す力を調節し、管体１０の回転を制御することができる。
【００２０】
図２、３に示すように、心軸頭部３１には、凸部３８、凸部３８上に形成する溝槽３９を設置する。
凸部３８には、固定板９５を組み合わせ、これにより管体１０、基台２２は、基面９９に取り付け、或いは固定される（図４、６参照）。
溝槽３９により、人は工具を操作し、心軸３０を回転、或いは押して、軸方向に移動させることができる。
【００２１】
図４に示すように、弾性体３７は、圧縮バネとし、軸柱３２上に嵌めて設置し、一端は、肩部３４上に接触し、反対端は、基台延伸壁２４上に接触する。
軸柱３２の自由端３５には、固定器４０を組み合わせる。
固定器４０には、貫通孔４１を設置し、伝動軸５０を可動接続する。
一実施形態中において、伝動軸５０は、固定器４０を突出し、弾性器５１を嵌めて設置し、回転部５２と可動接続する。
【００２２】
弾性器５１は、トルクバネとし、両端を備え、それぞれ固定器４０と回転部５２上に固定する
弾性器５１は、回転部５２（或いは固定器４０）の回転操作を経由し、弾性力が調整される。
回転部５２は、ターンテーブルに類似の構造で、軸孔５４を設置し、伝動軸５０を可動接続する。
回転部５２には、嵌槽５３を設置し、管体１０の駆動部１３を嵌合し、これにより回転部５２は、管体１０の回転に従い回転し、固定器４０の回転を連動する。
【００２３】
図５、６に示すように、管体１０の第二区１２に設置する伝動軸５０には、帯状バネモジュール６０を可動接続する。
帯状バネモジュール６０は、ハウジング６１とハウジング６１内に設置する帯状バネ６５を設置する。
ハウジング６１には、凹槽６２と開口６３を設置する。
凹槽６２は、管体１０の駆動部１３を嵌合し、これによりハウジング６１は、管体１０の回転に従い回転する。
帯状バネ６５が、コイルスプリング構造で、両端を備える。
一端は、軸台６６に対応し、伝動軸５０上に固定し、反対端は、ハウジング開口６３の位置に取り付ける。
【００２４】
帯状バネ６５の弾性力は、ローラーシェイド９０の重力と弾性体３７の弾性力との総和とほぼ等しいように、調整及び設定することができる。
よって、人がローラーシェイド布９０を引き動かし、これにより管体１０が第一区１１の回転部５２、コネクター２０、第二区１２のハウジング６１、コネクター２０を連動して回転させると、帯状バネ６５、弾性器３７はエネルギーを蓄積する。
そして、人が引き動かす力が消失すると、ローラーシェイド９０は運動を停止し、定位を形成する。
もし、人がローラーシェイド９０を元の位置まで押して戻すと、帯状バネ６５、弾性体３７は、先に蓄積したエネルギーを解き放ち、操作の省力作用を達成することができる。
【００２５】
上述の実施形態の説明を総合すると、本考案によるクラッチシステムを備えないバネ補助式コードレスローラーシェイドは、操作が簡便で構造がシンプルである上、従来の構造と比較し、以下の長所を備える。
１．管体１０、コネクター２０、心軸３０、固定器４０、帯状バネモジュール６０と関連構成部材の構造（例えば、コネクター２０を基台２２に組み合わせ、基台２２にチャンバー２３と延伸壁２４を設置し、心軸３０を設置し、心軸３０は頭部３１、軸柱３２、緩衝室３３、肩部３４を備え、軸柱３２には弾性体３７を巻きつけて設置し、自由端３５には固定器４０を組み合わせ、伝動軸５０は回転部５２或いは帯状バネモジュール６０に可動接続する等部分）は、新たに考案及び設計され、従来の構造とは使用、操作形態が全く異なる。
２．管体１０、コネクター２０、心軸３０、固定器４０、帯状バネモジュール６０と関連構成部材の構造の対応設計により、ビーズチェーンシステムを応用する従来の伝動方式とは異なり、操作の安全性を向上させられるばかりか、取り付けが面倒で、操作に力が要る等の従来の構造に存在していた欠点を明らかに改善することができる。
【００２６】
よって、本考案が提供するクラッチシステムを備えないバネ補助式コードレスローラーシェイドの空間形態は、従来の構造とは異なり、しかも従来の構造とは比較にならない長所を備え、非常に大きな進歩を示している。
【００２７】
上述の実施形態の説明を総合すると、本考案の操作、使用、及び本考案が生じる効果を充分理解することができる。しかし、以上に述べた実施形態は単に本考案の好ましい実施形態であり、これによって本考案の請求の範囲を限定するものではない。即ち本考案の請求の範囲及び説明書の内容に基づく、同等効果を有する簡単な変化及び修飾は、全て、本考案の範囲内に属するものとする。
【符号の説明】
【００２８】
１０  管体
１１  第一区
１２  第二区
１３  駆動部
１５  内部空間
２０  コネクター
２１  凹槽
２２  基台
２３  チャンバー
２４  延伸壁
３０  心軸
３１  頭部
３２  軸柱
３３  緩衝室
３４  肩部
３５  自由端
３６  副肩部
３７  弾性体
３８  凸部
３９  溝槽
４０  固定器
４１  貫通孔
５０  伝動軸
５１  弾性器
５２  回転部
５３  嵌槽
５４  軸孔
６０  帯状バネモジュール
６１  ハウジング
６２  凹槽
６３  開口
６５  帯状バネ
６６  軸台
９０  ローラーシェイド
９５  固定板
９９  基面
【図１】
0003192744.tif 000003
【図２】
0003192744.tif 000004
【図３】
0003192744.tif 000005
【図４】
0003192744.tif 000006
【図５】
0003192744.tif 000007
【図６】
0003192744.tif 000008